(57)【要約】      （修正有）【課題】背凭れへ深くゆったり凭れても遊戯機との距離がさほど離れず、この状態でもゲームが行えるようにした揺動機構付椅子を提供する。【解決手段】背フレーム２を背凭れが取り付けられる垂直部２Ｔと前端が座フレーム３の前部下部へ延びる水平部２ＳとからなるＬ字状としている。そして、背フレーム２の前端部を支持フレーム１の前部へ前リンク４を介して連結するとともに背フレーム２の水平部２Ｓの後部を支持フレーム１へ後リンク５を介して連結している。また、座フレーム３は、その前端部を支持フレーム１に前後方向へ移動可能に連結するとともに後端部を後リンク５に連結している。これにより、背凭れへ凭れて背フレームを後傾させたとき、後リンク５を支持フレーム１との連結ピン５Ａを支点として回動し、背フレーム２は前方へ移動する。なお、座フレーム３も後リンク５の回動に伴って前方へ移動する。【選択図】図１
0003118598.tif 000002
【実用新案登録請求の範囲】
【請求項１】
脚支柱の上端などに取り付けられた支持フレームに背フレームと座フレームを連結し、背凭れに凭れたときに背フレームの後傾と連動して座フレームが移動するようにした揺動機構付椅子において、該背フレームを背凭れが取り付けられる垂直部と前端が座フレームの前部下部へ延びる水平部とからなるＬ字状とし、該背フレームの前端部を該支持フレームの前部へ前リンクを介して連結するとともに該背フレームの水平部の後部を該支持フレームへ後リンクを介して連結し、該座フレームは、その前端部を該支持フレームに前後方向へ移動可能に連結するとともに後端部を該後リンクに連結し、背凭れへ凭れて該背フレームを後傾させたとき、後リンクが支持フレームとの連結ピンを支点として回動して背フレームを前方へ移動させるようにしたことを特徴とする傾斜機構付椅子。
【請求項２】
前記前リンクの支持フレームとの連結ピンに背フレームを通常姿勢に戻すための捩りコイルバネを組み込んだことを特徴とする請求項１記載の傾斜機構付椅子。
【考案の詳細な説明】
【技術分野】
【０００１】
本考案は、主としてパチンコホールなどの遊戯場で使用される椅子に係り、特に背凭れの傾斜に連動して座フレームが移動する機構（以下、揺動機構という）を備えた椅子に関するものである。
【背景技術】
【０００２】
パチンコホール等の遊技場に使用される椅子は、コンパクトで、長時間腰掛けてゲームを行っても疲労が少ないものが要求されており、近年は揺動機構付椅子が使用されだしている（例えば特許文献１）。なお、揺動機構付椅子は、古くから事務用などに使用されている（例えば特許文献２）。
【０００３】
特許文献１の椅子は、背凭れとシートが一体であり、これを脚支柱の上端に取り付けた基枠部材に、背凭れの後傾動作と座の沈み込み動作を連動させるように連結している。この椅子は、椅子の深い位置でその腰推部分を良好なホールド感を以って支持されるので、長時間腰掛けても疲れないという特徴がある。
一方、特許文献２の椅子は、事務用として代表的な揺動機構付椅子であり、背フレームは座フレームと別体とし、脚柱の上端に取り付けた固定枠に、座フレームの下部まで延出した背フレームを回動軸で連結するとともに、座フレームの前端と後端をＬ字状リンクとリンク板で背フレームへ連結している。
【０００４】
【特許文献１】特開平１０−３２７９６５号公報
【特許文献２】特開平０６−１７８７１０号公報
【考案の開示】
【考案が解決しようとする課題】
【０００５】
上記の特許文献１、２に示した揺動機構付椅子は、疲れたときなどに背凭れへ寄りかかれば、背凭れを後方へ傾動させるとともにシートを移動させて休息に適した姿勢にすることができる。
しかしながら、このような揺動機構付椅子をパチンコホールなどの遊戯場に使用した場合は、次のような問題がある。すなわち、ゲーム中に背凭れへ凭れると、遊戯機との距離が離れてしまい、手を延ばさないと届かないことになる。このため、ゲーム中は背凭れに深くゆったりと凭れることができないという難点があった。
【０００６】
そこで、本考案は、背凭れへ深くゆったり凭れても遊戯機との距離がさほど離れず、この状態でもゲームが行えるようにした揺動機構付椅子を提供することを目的としている。
【課題を解決するための手段】
【０００７】
本考案の揺動機構付椅子は、上記の目的を達成するため次の手段を採った。すなわち、 脚支柱の上端などに取り付けられた支持フレームに背フレームと座フレームを連結し、背凭れに凭れたときに背フレームの後傾と連動して座フレームが移動するようにした揺動機構付椅子において、該背フレームを背凭れが取り付けられる垂直部と前端が座フレームの前部下部へ延びる水平部とからなるＬ字状とし、該背フレームの前端部を該支持フレームの前部へ前リンクを介して連結するとともに該背フレームの水平部の後部を該支持フレームへ後リンクを介して連結し、該座フレームは、その前端部を該支持フレームに前後方向へ移動可能に連結するとともに後端部を該後リンクに連結し、背凭れへ凭れて該背フレームを後傾させたとき、後リンクが支持フレームとの連結ピンを支点として回動して背フレームを前方へ移動させるようにしたことを特徴としている。
【０００８】
本考案の揺動機構付椅子は、パチンコホールなどの遊戯場に使用するするのに好適なものであるが、使用用途はこれに限るものではなく、事務用などに当然使用できる。
支持フレームは、一般に脚支柱に固定あるいは水平回動可能に取り付けられるが、脚支柱に限定されず、また、脚支柱を有してないものにも適用できる。
背フレームは、Ｌ字状で水平部は支持フレームを両側から挟むように配置され、前リンクと後リンクを介して支持フレームに連結されている。なお、Ｌ字状、垂直部、および水平部の意味は厳密なものではなく概略の形状に対する称呼である。
【０００９】
後リンクは、背フレームを後傾させたとき支持フレームと連結する連結ピンを支点として回動する。これにより背フレームを前方へ移動させるように作用する。後リンクは、支持フレームとの連結ピンの位置より、後方へ設けるのが望ましい。すなわち、通常姿勢においては後リンクは、後方へ傾斜した状態で取り付けられる。これにより、背フレームを後傾させたとき座フレームの後部が沈み込む状態で前方へ移動するので、ゆったり深く凭れることができる。
【００１０】
座フレームは、支持フレームの上に設けられ、前端部は支持フレームに前後方向へ移動可能に連結する。この構成は、支持フレームに水平方向の長孔を設け、座フレームに固設したピンを嵌合させるのが一般的である。なお、該座フレームの後端部は後リンクに連結するが、その位置は座フレームの移動量をどれほどにするかによって決めればよく、通常は、背フレームの後リンクとの連結位置の近傍に設ければよい。
【００１１】
一方、傾斜した状態から自動復帰させるための手段は、例えば、支持フレームと背フレーム間に引張バネを設けるなどとくに限定しないが、請求項２に記載のように、前リンクの支持フレームとの連結ピンに捩りコイルバネを組み込むのが望ましい。
【考案の効果】
【００１２】
本考案の揺動機構付椅子は、上記のように、背フレームをＬ字状とし、その前端部を支持フレームの前部へ前リンクを介して連結するとともに、背フレームの水平部の後部を支持フレームへ後リンクを介して連結し、座フレームの前端部を支持フレームに前後方向へ移動可能に連結するとともに、座フレームの後端部を後リンクに連結したので、背凭れへ凭れて背フレームを後傾させたとき後リンクを支持フレームと連結する連結ピンを支点として回動させて背フレームを前方へ移動し、例えば、パチンコホールで使用される場合、背凭れに十分に凭れても遊戯機との距離がさほど変わらず、ゲームを行うのに支障をきたさないという効果がある。
また、請求項２の発明は、傾斜した状態から自動復帰させるための手段として、前リンクの支持フレームとの連結ピンに捩りコイルバネを組み込んだので、コンパクトなものとすることができる。
【考案を実施するための最良の形態】
【００１３】
本考案の揺動機構付椅子の実施の形態を図１〜図６に基づいて説明する。
図５は、パチンコホール用に構成した揺動機構付椅子の全体を示す斜視図で、１５は脚支柱、１６は背凭れ、１７はシート、２は背フレームである。
揺動機構は、図１、図２および図４に示すように、脚支柱１５に回動可能に取り付けられる支持フレーム１と、背凭れ１６が取り付けられる背フレーム２と、シート１７が取り付けられる座フレーム３と、これらを連結する前リンク４と後リンク５とから概略構成されている。
【００１４】
支持フレーム１は、左右の側部材１Ｆと底部材１Ｇと側部材１Ｆ同士を連結する連結材１Ｈとからなる前後方向が長い矩形状であり、前端には長孔１ｂとピン孔１ｃが設けられ、後端にはピン孔１ａが設けられている。また、前端の下部には前リンク４のストッパ１Ｍが、後端の下部には後リンク５のストッパ１Ｎが設けられている。
背フレーム２は、背凭れ１６が取り付けられる垂直部２Ｔと支持フレーム１を両側から挟むように、若干先端側を上方へ傾斜させて延びた水平部２Ｓからなる略Ｌ字状であり、前端に前リンク４とピン連結するためのピン孔２ａと、水平部２Ｓの後部で垂直部２Ｔへの立ち上がり部に、後リンク５とピン連結するためのピン孔２ｂが設けられている。
座フレーム３は、支持フレーム１を上から覆う程度の大きさを備えた矩形状で、左右の側部材３Ｆと上部材３Ｇと連結材３Ｈとで構成され、前端にはピン孔３ａが、後端にはピン孔３ｂが設けられている。
【００１５】
前リンク４は、左右２枚が連結材４Ｈで連結された長方形の板状であり、中央部にはピン孔４ａが設けられ後端にはピン孔４ｂが設けられている。
後リンク５は、左右２枚が連結材５Ｈで連結された逆く字状をしたものであり、両端にはピン孔５ａ，５ｃが、中央からピン孔５ｃ寄りにはピン孔５ｂが設けられている。
【００１６】
そして、前リンク４のピン孔４ａには支持フレーム１のピン孔１ｃとともに連結ピン４Ａが挿通され、これに捩りコイルバネ６が取り付けられている。そして、ピン孔４ｂには背フレーム２の前端のピン孔２ａとともに連結ピン４Ｂが挿通されている。なお、捩りコイルバネ６の一端は連結材４Ｈに係止され、他端は支持フレーム１のほぼ中央に立設したバネ受け部材８に係止している。なお、７はバネ受け材８を取り付ける取付部材である。
一方、後リンク５のピン孔５ａには支持フレーム１のピン孔１ａとともに連結ピン５Ａが挿通され、ピン孔５ｂには座フレーム３のピン孔３ｂとともに連結ピン５Ｂが挿通され、ピン孔５ｃには背フレーム２のピン孔２ｂとともに連結ピン５Ｄが挿通されている。さらに、支持フレーム１の前端の長孔１ｂには座フレーム３のピン孔３ａとともに連結ピン３Ａが挿通されている。
【００１７】
次に、上記のように構成された揺動機構の作用について説明する。
図１は、背凭れを後傾させてない通常状態の位置を示しており、このとき、前リンク３は、前方下方へ緩やかな傾斜を有して連結材４Ｈが支持フレーム１のストッパ１Ｍに当接しており、後リンク５は、ピン孔５ａを前方にして下後方へ傾斜した姿勢となっている。また、座フレーム３のピン孔３ａに挿通されている連結ピン３Ａは、支持フレーム１の長孔１ｂの後端に位置している。
なお、通常はこの状態でゲームを行うが、多少背凭れに寄りかかり気味に腰掛けても後傾しないように捩りコイルバネのばね定数が大きなものを使用している。
【００１８】
次に、疲れたときなど体重を意図的に背凭れへ預けた場合は、捩りコイルバネ６の抵抗に抗して、背フレーム２が後傾する。すなわち、図１において一点鎖線で示すように、後リンク５が連結ピン５Ａを支点として、時計回りに回動するとともに、前リンク４が反時計回りに回動する。これにより、背フレーム２は、後傾するとともにシート後部が沈み込みつつ前方へ移動し、座フレーム３も前方へ移動させる。また、このとき、座フレーム３の先端の連結ピン３Ａは、支持フレーム１の長孔１ｂの前端へ移動する。
【００１９】
背フレーム２を後傾させていくと後リンク５の連結材５Ｈが支持フレーム１のストッパ１Ｎに当接する。このときの状態（最大後傾時）は、図３に示すように、前リンク４は前下がりの傾斜角が大きくなり、後リンク５は後下がりの傾斜角が大きくなる。そして、連結ピン５Ｄの位置は最下で最も前に移動する。このように、背フレーム２の後傾とともに、座フレーム３の後部を沈ませて傾斜するとともに前方へ移動させることにより、少ない移動量で大きく傾斜した感じを与えることができる。
【００２０】
図６は、上記の揺動機構付椅子を従来のものと比較したものである。これによれば、背フレーム２を最大に後傾したとき（同じ傾斜角度βで１２度）、従来は通常状態から１１８．５ｍｍ（図６でＬ寸法）後方へ移動したが、本考案のものでは、Ｌ寸法が９３．７ｍｍとなり、２４．８ｍｍも少なくなっている。
【００２１】
なお、この状態から通常姿勢の状態にするには、背を起こすだけでよい。これにより、捩りコイルバネ６の作用によって前リンク４を時計方向へ回動させるとともに、後リンク５を反時計回りに回動させ、前リンク４の連結材４Ｈが支持フレーム１のストッパ１Ｍに当接して停止し、背フレーム２は通常状態に復帰する。
【図面の簡単な説明】
【００２２】
【図１】本考案の揺動機構付椅子の実施の形態を示すもので、揺動機構の側面図である。
【図２】同  平面図で、上半分は断面図である。
【図３】同  背凭れに凭れたときの揺動機構の状態を示す側面図である。
【図４】同  揺動機構の部品の展開図である。
【図５】同  揺動機構付椅子の全体を示す斜視図である。
【図６】揺動機構付椅子の背凭れへ凭れたときの状態を示す説明図で、（ａ）は従来のもの、（ｂ）は本考案のものである。
【符号の説明】
【００２３】
１  支持フレーム
１Ａ  連結ピン
１Ｆ  側部材
１Ｈ  連結材
１Ｇ  底部材
１Ｍ  ストッパ
１Ｎ  ストッパ
１ａ  ピン孔
１ｂ  長孔
１ｃ  ピン孔
２  背フレーム  
２Ｓ  水平部
２Ｔ  垂直部
２ａ  ピン孔
２ｂ  ピン孔
３  座フレーム
３Ａ  連結ピン
３Ｆ  側部材
３Ｇ  上部材
３Ｈ  連結材
３ａ  ピン孔
３ｂ  ピン孔
４  前リンク
４Ａ  連結ピン
４Ｂ  連結ピン
４Ｈ  連結材
４ａ  ピン孔
４ｂ  ピン孔
５  後リンク
５Ａ  連結ピン
５Ｂ  連結ピン
５Ｄ  連結ピン
５Ｈ  連結材
５ａ  ピン孔
５ｂ  ピン孔
５ｃ  ピン孔
６  捩りコイルバネ
７  取付部材
８  バネ受け
１５  脚支柱
１６  背凭れ
１７  シート
【図１】
0003118598.tif 000003
【図２】
0003118598.tif 000004
【図３】
0003118598.tif 000005
【図４】
0003118598.tif 000006
【図５】
0003118598.tif 000007
【図６】
0003118598.tif 000008